(57)【要約】システムは、コンピュータメモリと相互作動可能に結合され、コンピュータで実施されるシステムの１つ又は複数の構成部品の作動を実行するように構成された少なくとも１つのハードウェアプロセッサを備える。前記システムは、油井の掘削中に坑井穴の内側におけるＮＲＳＳの調査の間に、ＮＲＳＳの放出溝から、複数の脱着モジュール（ＤＭ）を、ＮＲＳＳを取り囲む環境内に展開するよう構成された脱着モジュール（ＤＭ）デリバリシステムを備え、複数のＤＭはＮＲＳＳに予め装填され、複数のＤＭは環境からの検知データを収集及び格納するように構成される。
2020536187.tif 000002
【特許請求の範囲】
【請求項１】
コンピュータで実施されるシステムであって：
非回収型検知システム（ＮＲＳＳ）と；
環境からの検知データを収集及び格納するように構成された複数の脱着モジュール（ＤＭ）と；を備え、
前記ＮＲＳＳは：
コンピュータメモリと相互作動可能に結合され、前記コンピュータで実施されるシステムの１つ又は複数の構成部品の作動を実行するように構成された少なくとも１つのハードウェアプロセッサと；
油井の掘削中に坑井穴の内側における前記ＮＲＳＳの調査の間に、前記ＮＲＳＳの放出溝から、前記複数のＤＭを、前記ＮＲＳＳを取り囲む環境内に展開するよう構成された脱着モジュール（ＤＭ）デリバリシステムと；を備える、
コンピュータで実施されるシステム。
【請求項２】
前記ＮＲＳＳとは別体であり、前記ＮＲＳＳの回収を必要とすることなく、前記ＤＭによって捕捉された前記データを読み取るよう構成された読取装置を更に備える、
請求項１に記載のコンピュータで実施されるシステム。
【請求項３】
前記ＤＭデリバリシステムは、前記ＮＲＳＳのハウジング内に格納された、ばねを備える機械式放出システムを備え、
前記ばねは、前記ＮＲＳＳが前記ＮＲＳＳの調査の際に停止点に到達したときに、前記ＮＲＳＳの慣性運動を利用して前記複数のＤＭの展開を引き起こすように構成された、
請求項１に記載のコンピュータで実施されるシステム。
【請求項４】
前記ＤＭデリバリシステムは、前記ＮＲＳＳのハウジング内に格納された、モータを備える電動式放出システムを備え、
前記モータは、前記ＮＲＳＳの調査の際にラックと係合して、前記複数のＤＭを異なる間隔で展開するように構成され、
前記ＮＲＳＳは、前記モータに給電するためのバッテリを備える、
請求項１に記載のコンピュータで実施されるシステム。
【請求項５】
前記ＮＲＳＳは、流体が中心を通って流れることを許容するパイプ形状の構造を有する、
請求項１に記載のコンピュータで実施されるシステム。 
【請求項６】
前記ＤＭは：
前記ＮＲＳＳとの通信と、前記ＤＭがデータを提供する外部システムとの通信を制御することを含め、前記ＤＭを制御するように構成されたマイクロコントローラを備えるプリント回路基板と；
センサ情報を格納する記憶チップと；
前記ＮＲＳＳの放出溝の中の給電接点と係合するための電極と；を備える、
請求項１に記載のコンピュータで実施されるシステム。
【請求項７】
前記ＮＲＳＳは：
３軸磁力計と、３軸加速度計と、３軸ジャイロスコープとを含む位置的／運動的構成部品と；
前記ＮＲＳＳを制御するよう構成され、タイマと、中央処理装置（ＣＰＵ）と、入力／出力（Ｉ／Ｏ）ポートと、ランダムアクセスメモリ（ＲＡＭ）と、インタラプトと、読出し専用メモリ（ＲＯＭ）とを備えるマイクロコントローラと；を備え、
前記マイクロコントローラは、前記位置的／運動的構成部品と前記タイマとの少なくとも１つからの情報を用いて異なる間隔を決定する、
請求項１に記載のコンピュータで実施されるシステム。
【請求項８】
前記ＤＭの形状は、球形、円筒形、楕円形、又はカプセル形である、
請求項１に記載のコンピュータで実施されるシステム。
【請求項９】
前記ＤＭは、温度センサ、圧力センサ、磁界センサ、ガンマ線センサ、音響センサ、分光センサ、化学センサ、及び水素イオン指数（ＰＨ）センサを含む集積センサを更に備える、
請求項５に記載のコンピュータで実施されるシステム。
【請求項１０】
前記ＤＭは、前記ＤＭの外部にあるＲＦＩＤ読取装置とデータを通信するように構成された無線周波識別器（ＲＦＩＤ）を更に備える、
請求項５に記載のコンピュータで実施されるシステム。
【請求項１１】
前記坑井穴は、陸上油井、海底油井、陸上ガス井、又は海底ガス井の坑井穴である、
請求項１に記載のコンピュータで実施されるシステム。
【請求項１２】
コンピュータで実施される方法であって：
ＮＲＳＳを用いて坑井の調査を開始するステップと；
複数のＤＭを前記ＮＲＳＳに予め装填するステップと；
前記ＮＲＳＳが前記坑井穴の検知データを収集及び格納するように構成するステップと；
前記ＮＲＳＳを前記坑井穴内に展開するステップと；
前記ＮＲＳＳを用いて環境条件又は坑井穴情報を収集及び格納するステップと；
前記複数のＤＭを前記坑井穴内に放出するための条件を監視するステップと；
前記複数のＤＭを前記坑井穴内に展開するステップと；
前記複数のＤＭのうちバッテリ給電型ＤＭを用いて環境条件を収集及び格納するステップと；
前記複数のＤＭからデータを取得するステップと；
運用の意志決定を行うために前記取得データを用いるステップと；を備える、
コンピュータで実施される方法。
【請求項１３】
前記複数のＤＭを展開する前記ステップは、前記ＮＲＳＳのハウジング内に格納された、ばねを備える機械式放出システムを用いるステップを備え、
前記ばねは、前記ＮＲＳＳが前記ＮＲＳＳの調査の際に停止点に到達したときに、前記ＮＲＳＳの慣性運動を利用して前記複数のＤＭの展開を引き起こすように構成された、
請求項１２に記載のコンピュータで実施される方法。
【請求項１４】
前記複数のＤＭを展開する前記ステップは、前記ＮＲＳＳのハウジング内に格納された、モータを備える電動式放出システムを用いるステップを備え、
前記モータは、前記ＮＲＳＳの調査の際にラックと係合して、前記複数のＤＭを異なる間隔で展開するように構成され、
前記ＮＲＳＳは、前記モータに給電するためのバッテリを備える、
請求項１２に記載のコンピュータで実施される方法。
【請求項１５】
前記ＤＭは：
前記ＮＲＳＳとの通信と、前記ＤＭがデータを提供する外部システムとの通信を制御することを含め、前記ＤＭを制御するように構成されたマイクロコントローラを備えるプリント回路基板と；
センサ情報を格納する記憶チップと；
前記ＮＲＳＳの放出溝の中の給電接点と係合するための電極と；を備える、
請求項１２に記載のコンピュータで実施される方法。
【請求項１６】
前記ＮＲＳＳは：
３軸磁力計と、３軸加速度計と、３軸ジャイロスコープとを含む位置的／運動的構成部品と；
前記ＮＲＳＳを制御するよう構成され、タイマと、中央処理装置（ＣＰＵ）と、入力／出力（Ｉ／Ｏ）ポートと、ランダムアクセスメモリ（ＲＡＭ）と、インタラプトと、読出し専用メモリ（ＲＯＭ）とを備えるマイクロコントローラと；を備え、
前記マイクロコントローラは、前記位置的／運動的構成部品と前記タイマとの少なくとも１つからの情報を用いて異なる間隔を決定する、
請求項１２に記載のコンピュータで実施される方法。
【請求項１７】
前記ＤＭの形状は、球形、円筒形、楕円形、又はカプセル形である、
請求項１２に記載のコンピュータで実施される方法。
【請求項１８】
前記ＤＭは、温度センサ、圧力センサ、磁界センサ、ガンマ線センサ、音響センサ、分光センサ、化学センサ、及び水素イオン指数（ＰＨ）センサを含む集積センサを更に備える、
請求項１５に記載のコンピュータで実施される方法。
【請求項１９】
前記ＤＭは、前記ＤＭの外部にあるＲＦＩＤ読取装置とデータを通信するように構成された無線周波識別器（ＲＦＩＤ）を更に備える、
請求項１５に記載のコンピュータで実施される方法。
【請求項２０】
前記坑井穴は、陸上油井、海底油井、陸上ガス井、又は海底ガス井の坑井穴である、
請求項１５に記載のコンピュータで実施される方法。
【発明の詳細な説明】
【技術分野】
【０００１】
［優先権の主張］
この出願は、２０１７年９月２９日に出願された米国特許出願第１５／７２０，２９７号の優先権を主張し、その全内容は参照により本明細書に組み込まれる。
【背景技術】
【０００２】
陸上（オンショア）／海底（オフショア）の油井及びガス井では、様々な種類の調査ツールを用いることができる。例えば、ジャイロ調査ツールを用いて、浅穴区間での垂直性チェック及び傾斜プランを合わせて行うことができる。また、掘削同時測定（ＭＷＤ、measurement while drilling）ツールを、深穴区間での垂直掘削及び傾斜掘削に用いることができる。キックオフ点が深く、深場所でジャイロ調査と抱き合わされる高性能掘削などの、深いけれども需要の少ない調査用途では、回収可能な調査ツールはその回収に非常に長い時間がかかってしまうので非効率になり得る。更に、ＭＷＤ及び掘削同時ジャイロ（ＧＷＤ、gyro while drilling）ツールなどのリアルタイム調査ツールは高コストになり得る。
【発明の概要】
【０００３】
本開示は、非回収型検知システム（ＮＲＳＳ、a non-retrieval sensing system）を用いて坑井穴を調査するためのシステムについて述べる。
【０００４】
実施において、コンピュータで実施されるシステムは、非回収型検知システム（ＮＲＳＳ）と、環境からの検知データを収集及び格納するように構成された複数の脱着モジュール（ＤＭ）とを備え、前記ＮＲＳＳは：コンピュータメモリと相互作動可能に結合され、コンピュータで実施されるシステムの１つ又は複数の構成部品の作動を実行するように構成された少なくとも１つのハードウェアプロセッサと；油井の掘削中に坑井穴の内側における前記ＮＲＳＳの調査の間に、前記ＮＲＳＳの放出溝から、複数のＤＭを、前記ＮＲＳＳを取り囲む環境内に展開するよう構成された脱着モジュール（ＤＭ）デリバリシステムと；を備え、複数のＤＭは、前記ＮＲＳＳに予め装填される。
【０００５】
先に述べた実施は、コンピュータで実施される方法と；コンピュータで実施される方法を実行するためのコンピュータ読取り可能命令を格納する非一時的コンピュータ読取り可能媒体と；コンピュータで実施される方法／非一時的コンピュータ読取り可能媒体に格納された命令を実行するように構成されるハードウェアプロセッサに相互作動可能に結合されるコンピュータメモリを含むコンピュータにより実施されるシステムと；を機械的構成部品と組み合わせて用いて実施可能である。
【０００６】
本明細書で述べる主題は、以下の利点の１つ又は複数を実現するために、特定の実施において実施できる。第１に、ＮＲＳＳのコストは、リアルタイムシステムに比べて低い。第２に、ＮＲＳＳのランニングコストは、回収型調査ツールに比べて低い。例えば、ツール回収に必要な非掘削時間をなくすことができる。第３に、ＮＲＳＳのコストは、機能性、作動時間、及び坑井コストの面で低い。第４に、ＮＲＳＳは、高解像度のダウンホールデータを取得するために、大きなデータ記憶領域を担持できる。第５に、ダウンホールのイベント又は事前設定の時間の遅れにより、データ転送を自動的にトリガすることができる。第６に、ダウンホールの状態に応じて、記録されたダウンホール情報を、環状流路又はドリルパイプを介して転送することができる。他の利点は、当業者には明らかになろう。
【０００７】
本明細書の主題の１つ又は複数の実施の詳細を、詳細な説明、特許請求の範囲、及び付帯する図面に記載する。本主題の他の特徴、態様、及び利点は、詳細な説明、特許請求の範囲、及び付帯する図面から明らかになろう。
【図面の簡単な説明】
【０００８】
【図１Ａ】図１Ａは、本開示の実施による掘削システム例の断面概略図である。
【図１Ｂ】図１Ｂは、本開示の実施による掘削システム例の断面概略図である。
【図１Ｃ】図１Ｃは、本開示の実施による掘削システム例の断面概略図である。
【図１Ｄ】図１Ｄは、本開示の実施による掘削システム例の断面概略図である。
【０００９】
【図２Ａ】図２Ａは、本開示の実施による、機械式脱着モジュール（ＤＭ）放出システムを有する非回収型検知システム（ＮＲＳＳ）を示す。
【図２Ｂ】図２Ｂは、本開示の実施による、機械式脱着モジュール（ＤＭ）放出システムを有する非回収型検知システム（ＮＲＳＳ）を示す。
【００１０】
【図２Ｃ】図２Ｃは、本開示の実施によるＮＲＳＳの断面図を示す。
【００１１】
【図３Ａ】図３Ａは、本開示の実施による、モータ例を有するＮＲＳＳを示す。
【図３Ｂ】図３Ｂは、本開示の実施による、モータ例を有するＮＲＳＳを示す。
【図４Ａ】図４Ａは、本開示の実施による、モータ例を有するＮＲＳＳを示す。
【図４Ｂ】図４Ｂは、本開示の実施による、モータ例を有するＮＲＳＳを示す。
【００１２】
【図５】図５は、本開示の実施による、ＤＭ１０６及びＤＭ放出溝の実施例を示す。
【００１３】
【図６】図６は、本開示の実施による、ＮＲＳＳと、ＤＭ１０６と、データ読取装置との関係例を示すシステム概略図である。
【００１４】
【図７】図７は、本開示の実施による、坑井穴内で非回収型検知システムを用いる方法例を示すフローチャートである。
【００１５】
【図８】図８は、本開示の実施による、本開示に記載された、記載のアルゴリズム、方法、機能、プロセス、フロー、及び手順に関連付けたコンピューティング機能を提供するために用いられるコンピュータシステム例を示すブロック図である。
【００１６】
様々な図面における同様の符号及び名称は、同様の要素を示す。
【発明を実施するための形態】
【００１７】
以下の詳細な説明は、非回収型検知システムを用いて坑井穴を調査するためのシステムについて述べ、当業者が、１つ又は複数の特定の実施の文脈で開示される主題を作成して使えるように提示される。開示される実施の様々な改変、変更、及び置換が可能であり、それらは当業者には容易に明らかになることであり、定義された一般原理は、本開示の範囲から逸脱することなく、他の実施及び用途に適用できる。場合によっては、記載する主題の理解にとって不必要な詳細は、記載する１つ又は複数の実施をあいまいにしないように、そして、そのような詳細が当業者の技能の範囲内であるかぎり、省くことになる。本開示は、記載又は図示する実施を限定することを意図するものではなく、記載する原理及び特徴と矛盾しない最も広い範囲が与えられることを意図するものである。
【００１８】
非回収型検知システム（ＮＲＳＳ）については、他の現場での環境評価及び特性評価はもちろんのこと、ダウンホール調査のための集積センサの様々な特徴とともに開示する。ＮＲＳＳには、検知データを格納する脱着モジュール（ＤＭ）が含まれる。ＮＲＳＳが指定場所に到達すると、例えば、ＤＭがＮＲＳＳから放出され、ＮＲＳＳがダウンホールにとどまっている間に検知データを地上へ転送できる。ＤＭは、高温、高圧他の極端なダウンホール条件に耐えられるバッテリレスの小型デバイスとすることができる。バッテリレスであるＤＭの特徴により、ＤＭを低コストでメンテナンスフリーにすることもできる。ＮＲＳＳは、機能性、作動時間、及び坑井コストの面で、掘削同時測定（ＭＷＤ）ツールや掘削同時ジャイロ（ＧＷＤ）ツール他の技術をしのぐ。ＮＲＳＳをいろいろな用途で実行できるように、ＤＭ放出システムを、機械式及び電動式の両方で設計及び製造することができる。
【００１９】
坑井穴調査は、調査又は傾斜調査（directional survey）としても一般に知られる慣行であり、掘削中又は掘削後の坑井穴の３Ｄ軌跡をプロットするために、ボーリング穴の形状の詳細な記録が作成される。坑井穴調査により、計画経路をたどるための重要な情報が掘削作業に提供される。例えば、実際の計画から逸れると、ターゲットを外したり、近くにある坑井に突き当たったりするなど、深刻な結果を引き起こす可能性がある。別の例では、実際の計画からの逸脱は、政府のリース契約の下で認められた境界を越えて地層を貫いてしまう場合など、訴訟を招く可能性がある。
【００２０】
典型的な調査ツールには、ＴＯＴＣＯ、ワイヤライン調査、ジャイロ、ＭＷＤ、ＧＷＤが含まれる。最も基本的な調査ツールはＴＯＴＣＯである。これは、方位（アジマス）角ではなく坑底の傾斜角を測定して記録する機械式デバイスである。このツールはワイヤに乗ってボトムホールアセンブリ（ＢＨＡ、bottom hole assembly）まで進み、調査が完了すると直ちに回収される、又は、ドリルストリングを取り出すときにドリルストリングを通って降下し、その後にＢＨＡが地上にある時に回収される。ＴＯＴＣＯの時計仕掛けタイマにより、調査をいつ行うか決めることができる。調査の記録は紙のディスクに穴を明けて得ることができる。機能が限定された低コストの調査ツールとしてのこのシングルショットデバイスは、主に、浅い掘削穴の鉛直度の確認に用いられて偶発的なキックオフを回避する又は防ぐ。
【００２１】
他方、ワイヤライン調査ツールとジャイロ調査ツールは、ジャイロスコープと加速度計とで測定した精確で包括的なマルチショット調査を提供できる。同様の検知原理による両ツールは、主に、実行方法と回収方法によって区別できる。ワイヤライン調査ツールは、作業中、ワイヤラインによって坑井穴内に落とし込むことができ、回収が可能である。他方、ジャイロ調査ツールは、ドリルパイプの内側に落とし込むことができ、（ドリルパイプを）取り出す間に回収可能である。どちらのツールも、調査の実行と回収にかなりの時間を要する可能性がある。ワイヤライン調査の場合、ワイヤラインの取り付けに更なる時間と労力を要することは言うまでもない。更に、ワイヤライン上で行う調査では、ツールがダウンホールで動かなくなる可能性があるため、リスクを伴う。したがって、ワイヤライン調査及びジャイロ調査は精確な測定を提供するものの、時間／コスト効率が高い解決策ではなく、深井戸用途にとって理想的でないと考えられる。
【００２２】
ＭＷＤツールは、深井戸で磁場に基づく調査を行えるリアルタイムの検知及び通信システムを提供できる。このシステムは、マッドパルス遠隔測定（テレメトリ）を利用して、ドリルパイプの内側に沿い、掘削泥水を通して、変調泥水圧信号を地上へ送ることができる。各調査地点では、重力と地球の磁場とを測定することにより、ＭＷＤの方位を特定できる。磁気干渉及びノイズはツールの精度に影響を及ぼす可能性があるので、ＭＷＤは、専ら、漂遊磁場が存在しない裸坑（ケーシングを挿入してない穴）の調査に適している。実際の用途では、ＭＷＤを用いて深穴区間の裸坑を調査し、その結果を、より浅い区間でのワイヤライン調査ツール又はジャイロ調査ツールで測定されたケーシング坑（ケーシングを挿入した穴）調査に結び付けることができる。ＭＷＤの実行はコストがかかり、ツールがダウンホールで故障した場合、掘削ＢＨＡを取り出す必要がある。
【００２３】
深井戸を調査するための代替の一の解決策は、磁力計の代わりにジャイロスコープを利用して方位を特定するＧＷＤである。したがって、ケーシング由来の漂遊磁界によるツールへの干渉がなく、ケーシングの内側及び外側の両方でツールを操作できる。作業の間、ＧＷＤにより測定された調査データは、マッドパルス遠隔操作を用いて地上へ転送することもできる。
【００２４】
浅穴区間では、単純で回収コストが低いという理由で回収可能な調査ツールが一般に用いられている。リアルタイムの調査ツールは、主に、傾斜掘削に用いられる。この場合、調査地点数と作業深度とに対する需要は高くなる。キックオフ点が深く、深場所でジャイロ調査と抱き合わされる高性能掘削などの、深いけれども需要が少ない調査用途では、回収可能な調査ツールは非効率的であり、リアルタイムの調査ツールはコストがかかって、不要になる可能性がある。
【００２５】
ＮＲＳＳは、ツール自体を回収せずに測定を行って、データを地上へ転送する能力を提供できる。ＮＲＳＳは、特には深井戸において、回収時間をなくし、複雑で高価なリアルタイム通信システムの使用を回避できる。ＮＲＳＳは、需要が低い深井戸の調査用途にも適している。先に述べた技術の特徴を全く用いなくてもよく、一部若しくは全てを用いてもよく、又は、それらの一部若しくは全てをＮＲＳＳと組み合わせてもよい。
【００２６】
図１Ａ乃至図１Ｄは、本開示の実施による掘削システム例１００の断面概略図である。例えば、掘削システム１００はＮＲＳＳ１０２を含み、このＮＲＳＳが展開されるのは、掘削リグ１０７用のドリルパイプ１０４に入れ込むときである。ＮＲＳＳ１０２は、ジャイロスコープ、磁力計、加速度計、並びに、ダウンホール調査と、その場の環境評価及び特性評価とのための他の集積センサを装備することができる。他の集積センサとして、例えば、温度センサ、圧力センサ、ガンマ線センサ、音響センサ、分光センサ、化学センサ、及び水素イオン指数（ＰＨ）センサが挙げられる。ＮＲＳＳ１０２は、検知データを格納する脱着モジュール（ＤＭ）１０６を含むことができる。各ＤＭ１０６は、高温高圧を含め、極端なダウンホール条件に耐えることができるバッテリレスの小型デバイスとすることができる。作業の間、ＮＲＳＳ１０２は、初期には位置１０５ａにあるドリルパイプ１０４の上部から落とされて、ドリルパイプ１０４の内部で測定しながら、泥流とともに下に移動できる。ＮＲＳＳ１０２が指定場所１０５ｂに到達すると、例えば、データをＮＲＳＳ１０２からＤＭ１０６へ転送できる。次に、ＤＭ１０６をＮＲＳＳ１０２から放出することができ、ＮＲＳＳ１０２がダウンホールにとどまっている間に、検知データを地上へ転送できる。ＤＭ１０６の移動方向を、ダウンホール循環の方向に依存させることができる。例えば、ＤＭ１０６は、図１Ｃに示すように、矢印１０８ａで示す下向き方向に流れてから、環状部１１２の内側の位置１１０ａから１１０ｃを順次通って流れることができる。別の実施例では、図１Ｄに示すように、循環が完全になくなったり、裸坑を循環できなくなったりした場合、ＤＭ１０６は矢印１０８ｂで示す方向に流れ、ドリルパイプ１０４の内側位置１１０ｄから位置１１０ｅへ進むことができる。ＤＭが地上に到達するのにかかる時間は、循環速度、並びに、坑井及び泥水の特性及び条件によって異なる。地上の読取装置１１４は、ＤＭ１０６からデータをダウンロードし、調査作業を完了することができる。代替として、ＤＭ１０６を地上で回収し、データをオフラインでダウンロードすることもできる。
【００２７】
実施によっては、上記の展開方法に加えて、又は、その代わりに、ＮＲＳＳ１０２はビット１１６の上方にあるドリルパイプ１０４の内側に配置され、ドリルパイプと共に穴内を移動することができる。この場合、ＮＲＳＳ１０２は、特定の時間間隔及び／又は深度間隔で測定を行って、ＤＭ１０６を放出できる。作業後、（ドリルパイプを）取り出す間に、ＢＨＡと共にＮＲＳＳ１０２を回収できる。
【００２８】
ＮＲＳＳ１０２は、掘削中に流体が中心を通って流れるようにするパイプ形状設計とすることができる。ＮＲＳＳ１０２は、バッテリ、センサとマイクロコントローラとを有するマザーボード、ＤＭ放出機構、及び他の構成部品を含むことができる。実施によっては、バッテリは、Ｌｉ−Ｉｏｎ、Ｌｉ−ポリマ、ＮｉＭＨ、ＡｇＺｎ若しくは他のタイプの充電式バッテリ、又は、Ｚｎ−Ｃ、Ｚｎ−Ｍｇ、Ｍｇ若しくは他のタイプの非充電式バッテリとすることができる。実施によっては、マイクロコントローラは、高度な縮小命令セットコンピュータ（ＲＩＳＣ）マシン（ＡＲＭ）のコアプロセッサ、Ａｌｆ及びＶｅｇａｒｄのＲＩＳＣプロセッサ（ＡＶＲ）、Ｉｎｔｅｌ  Ｑｕａｒｋ、Ｉｎｔｅｌ  Ａｔｏｍ、Ｉｎｔｅｌ８０５１他のプロセッサとすることができる。実施によっては、センサは、メムス（ＭＥＭＳ、micro-electro-mechanical system）ベースのジャイロスコープ、加速度計、磁力計、温度センサ、及び圧力センサを含むことができる。バッテリは、マイクロコントローラ、センサ、及び電動式ＤＭ放出システムに給電することができる。ＤＭ放出システムは、モータ駆動装置モジュール及びモータを含むことができる。ＤＭ放出機構を機械的に作動させることも、電動化することもできる。
【００２９】
格納された検知データはＤＭ１０６を用いて回収されるので、ＮＲＳＳ１０２はドリルパイプ１０４と共に単に回収されるだけである。しかし、ＤＭ１０６の回収は、坑井穴の状況に応じて、泥流ベース及び浮力ベースのいずれかである。前者の場合、ＤＭ１０６の密度を、泥水流体と同様の密度で設計できる。放出された後、ＤＭ１０６は泥流と一緒に流れ、泥流の方向に応じて、環状部内又はドリルパイプ内のいずれかでＤＭ１０６を回収できる。後者の場合、ＤＭ１０６の密度を、泥水より低い密度で設計できる。放出された後、ＤＭ１０６は浮力の方向に流れ、ドリルパイプ１０４内でＤＭ１０６を回収できる。
【００３０】
ＮＲＳＳの動きは完全に重力に基づく、という必要はない。その動きは、部分的には、坑底に向かう泥流に駆られる場合もあるからである。脱着モジュールをＮＲＳＳ１０２に含めることができ、そうすることでＮＲＳＳ１０２の内径（クリアランス）は更に小さくなる。クリアランスが小さくなると、泥流方向に沿ってツールにかかる流体差力を高めることができる。ＮＲＳＳ１０２の重力がツールをＢＨＡへ移動させるに十分ではない水平坑井展開で脱着モジュールを用いることができる。
【００３１】
実施によっては、ＮＲＳＳ１０２の外形寸法（ＯＤ）を、ドリルパイプの内形寸法（ＩＤ）よりわずかに小さくすることができる。例えば、４インチ（１０１．６ｍｍ）のドリルパイプに対応するＮＲＳＳシステムの場合、ＮＲＳＳのＯＤを、例えば３．３４インチ（又は８５ｍｍ）未満とすることができる。実施によっては、ＤＭ１０６のＯＤを、例えば、３ｍｍと１０ｍｍとの間とすることができる。
【００３２】
図２Ａ及び図２Ｂは共に、本開示の実施による、機械式ＤＭ放出システムを有するＮＲＳＳ１０２を示す。ＮＲＳＳ１０２のハウジング２０２には、長手方向に複数の貫通溝２０３（放出溝）が形成されている。各溝は、バッテリを有するマザーボード（例えば、プリント回路基板２０８）を含むリング形状の内側スライダ（例えば、その一部として製造される、又は取り付けられる）に結合するプッシュバー２０７に組付けられる。内側スライダは、ＮＲＳＳ１０２の軸に沿って制限領域を移動できる。ハウジング２０２内のプッシュバー２０７には、ばね２０４がショックアブソーバとして取り付けられている。展開前に、ＤＭ１０６が溝内に予め装着される。展開後、ハウジング２０２がドリルパイプ１０４の底に触れると、内側スライダがその慣性で下方へ移動し、ばね２０４を圧縮し、プッシュバー２０７を用いてＤＭ１０６を溝の端から押し出す。機械式ＤＭ放出システムは、ＤＭ放出のためのアクチュエータを追加で導入せずに自らの動きに依存するので、システムの複雑さは緩和し、エネルギー効率が向上する。シールリング２０６はＮＲＳＳ１０２をシールする。ＮＲＳＳ１０２の中央キャビティは、通常、流体が流通するために開いたままである。ＮＲＳＳ１０２の複数の溝のそれぞれに複数のＤＭ１０６を並べて格納してＤＭ１０６の記憶容量を増やすことができる。
【００３３】
図２Ｃは、本開示の実施による、ＮＲＳＳ１０２の断面図２１０を示す。この図では、ハウジング２０２内にある１つおきのノッチ２０５は、例えば、ＤＭ１０６用のスロットと、ＤＭ１０６を展開するためにばね２０４に取り付けられた構成部品とを収容できる。ＮＲＳＳ１０２内の空所２０７は、ＮＲＳＳ１０２を通る流体及び泥水の流れのための中央流体流路を提供する。
【００３４】
断面図２１０は、（先に述べた）ＤＭ１０６が発射される４つの溝２０３を示す。他の実施では、溝２０３の数は３から１０とすることができる。それぞれの溝／流路に格納するＤＭ１０６の個数は、１個から１０個又はそれ以上とすることができる。各溝の向きは、ＮＲＳＳ１０２の中心軸に平行である。機械式ばねで付勢されるＮＲＳＳ１０２の実施において、ＤＭ１０６を展開するためのプッシュバー２０７は、１つの内側スライダに組み立てられるときに同期させることができる。電動式ＮＲＳＳ１０２を用いる実施では、１つ又は複数のプッシュバー２０７を各モータで駆動でき、ＤＭ１０６を一度に、又は異なるバッチで放出できる。
【００３５】
図３Ａ、図３Ｂ、図４Ａ、及び図４Ｂはいずれも、本開示の実施による、モータの例３０２を有するＮＲＳＳ１０２を示す。ＮＲＳＳ１０２は、ＤＭを機械的に放出するための内側スライダの代わりにラック３０４とモータ３０２とを装備することができる。ラック３０４は、その位置をモータ３０２によって精確に制御されるプッシュバー２０７として働くことができる。展開前に、ＤＭ１０６は、ラック３０４が位置Ａにある状態で溝３０８の中に予め装填される。ＮＲＳＳ１０２の展開後、ＤＭ１０６を放出する準備が整うと、モータ３０２はラック３０４を駆動して位置Ａから位置Ｂまで移動させ、ＤＭ１０６を溝３０８から押し出す。ＤＭ１０６の放出は、センサ及びコントローラ３０６によって行うことができる。そのように、図４Ａは、ＤＭ１０６を放出する前の電動式設計を示し、図４Ｂは、ＤＭ１０６を放出した後の電動式設計を示している。機械式ＤＭ放出システムと比べると、ＮＲＳＳ１０２は、電動式ＤＭ放出システムによって、ＤＭ１０６の放出時間と放出方法とについて良好に制御されることができる。展開中、制御された数のＤＭ１０６を、任意の指定された時間又はツール位置で放出できる。これにより、様々な用途におけるシステムの柔軟性が向上する。ＮＲＳＳ１０２の機械式放出の実施によっては、ＮＲＳＳ１０２が単に底部に到達した瞬間にだけ、ＤＭ１０６を放出することができる。電動化された実施では、ＤＭ１０６を、所定の時間に放出することができる、又は、温度、圧力、加速度計、ジャイロスコープ、磁場、ガンマ線、音響信号、分光信号、化学物質濃度、ＰＨ値他などの、搭載センサから取得した外部トリガ信号に基づいて放出することができる。
【００３６】
図５は、本開示の実施による、ＤＭ１０６及びＤＭ放出溝５０２（例えば、溝２０３）の実施例を示す。ＤＭ放出溝５０２は、例えば、溝２０３及び溝３０８の拡大視である。ＤＭ１０６は、中心に小さなプリント回路基板（ＰＣＢ）５０４を有する球状デバイスであり、機械的特性に優れたエポキシで覆われている。ＰＣＢ５０４は、データ通信のためのマイクロコントローラ５０６及び調査データを保存するための記憶チップ５０８などの構成部品を含む。一対の半球状の金属接点（例えば、電極５１０ａと５１０ｂ）は、ＤＭ１０６を覆い、通信及び電力（５１４）ポートとして働く。ＤＭ１０６がＤＭ放出溝５０２内に装着されると、ＤＭ１０６のＰＣＢ５０４は、電極５１０ａ及び５１０ｂ並びに金属接点５１２ａ及び５１２ｂを介してＮＲＳＳ１０２に接続される。したがって、ＤＭ１０６はＤＭ放出溝５０２によって給電（５１４）されるが、このＤＭ放出溝５０２では調査データ（５１６）も転送される。図５に示す球形のＤＭ１０６に加えて、ＤＭ１０６の形状を、円筒形、楕円形、及びカプセル形とすることができる。実施によっては、ＤＭ１０６は、ＮＲＳＳ１０２から放出された後での坑井穴検知を可能にする搭載センサ及びバッテリを装備することができる。金属接点５１２ａ及び５１２ｂはＤＭ放出溝５０２に設けられ、ハウジングに埋め込むことができる。機械式のばね型ＮＲＳＳの実施の場合、ハウジング２０２とプッシュバー２０７との間の電気接点／ブラシを介して、ハウジング内の電線を内側スライダ上のプリント回路基板に接続できる。電動式ＮＲＳＳの実施の場合、間に可動部分がないため、ハウジング内の電線をプリント回路基板へ直接に接続できる。
【００３７】
ＤＭ１０６は、ＮＲＳＳ１０２の本体内のＤＭ放出溝５０２に予め装着されて固定されており、中央の流体流路から離れている。放出後、ＤＭ１０６は中央の流路へ押し込まれる。ＤＭ１０６の大きさは、ＮＲＳＳ１０２の内径に比べてはるかに小さいということからして、ＤＭ１０６が流体の流れを遮断することはない。いったんＤＭ１０６が装着されると、ＤＭ１０６と電極との間に強い機械的及び電気的接触ができあがる。接触の品質は、溝の設計公差を用いて最適化できる。
【００３８】
機械式及び電動式の両ＤＭ放出システムは、異なる用途でＮＲＳＳを実行するように設計し製造することができる。一の適用例では、時間の遅れに基づいてＤＭを放出でき、電動式ＮＲＳＳは事前設定されたタイマに基づいてＤＭを放出し、調査及び検層についてタイムリに更新することができる。別の適用例では、ＤＭは、傾斜（例えば、調査センサを使用）、地層上部（例えば、ガンマ線センサを使用）、温度、圧力、ＰＨのセンサ、及び／又は、ＮＲＳＳにＤＭ放出戦略をケースバイケースでカスタマイズする能力を提供するその他のセンサなど、ＮＲＳＳの搭載センサによって捕捉された情報に基づいて放出される。
【００３９】
図６は、本開示の実施による、ＮＲＳＳ１０２と、ＤＭ１０６と、データ読取装置との関係の例を示すシステム概略図である。ＮＲＳＳ１０２及びＤＭ１０６は、例えば、ＤＭ放出溝５０２を介して、機械的及び電気的に接続される。検知データがＮＲＳＳ１０２によって収集され、６１６を通ってＤＭ１０６に受け渡された後、ＤＭ１０６に保存されたデータは、（例えば、電力６１２し、データ６１４を受信するように）接続された方法で有線読取装置６０２によりダウンロードすることができる、又は、アンテナ６０６と、フラッシュメモリ６１０から情報を受信するＤＭ１０６内のＲＦＩＤ（無線周波識別）６０８とを用いるなど、無線周波識別（ＲＦＩＤ）読取装置６０４によって無線でダウンロードすることができる。ＲＦＩＤ転送距離は、例えば２．４ＧＨｚの周波数を用いて１メートル以内になる可能性がある。ただし、この距離は、ＫＨｚ範囲のような低周波数の無線送信を用いることで大幅に改善でき、ＲＦＩＤ転送距離の範囲は数メートル以上になることが期待できる。ダウンホールデータの転送における無線通信では、例えば、泥水中のＭＷＤ及びＲＳＳ構成部品を無線で接続するために実施される様々な技術を用いることができる。
【００４０】
ＮＲＳＳ１０２は、例えば、機械式放出システム６１８又は電動式放出システム６２０（例えば、モータ駆動装置６２１を用いる）のうち１つ又は複数を提供できる。ＮＲＳＳ１０２は、３軸磁力計６２２、３軸加速度計６２４、及び３軸ジャイロスコープ６２６などの位置的／移動的の構成部品を含むことができる。ＮＲＳＳ１０２は、少なくともモータ駆動装置６２１に給電するバッテリ６２８、並びに、タイマ６３２、中央処理装置（ＣＰＵ）６３４、入力／出力（Ｉ／Ｏ）ポート６３６、ランダムアクセスメモリ（ＲＡＭ）６３８、インタラプト６４０、及び読取り専用メモリ（ＲＯＭ）６４２を含むマイクロコントローラ６３０などの構成部品を含むことができる。
【００４１】
調査中に、ＮＲＳＳ１０２のメインコンピューティング／コントローラボードからＤＭ１０６へデータを転送できる。個々のケースでの調査の解像度と、含まれるセンサの数とに応じて、機械式ＮＲＳＳ１０２又は電動式ＮＲＳＳ１０２を用いることができる。例えば、低解像度の調査及びセンサ数が少ない用途では、機械式のＮＲＳＳ１０２は複雑さが低く電力効率が高いので理想的である。このシステムは、ＮＲＳＳ１０２からＤＭ１０６へのデータ書き込みをＤＭ１０６の機械的放出前に完了するのに十分なデータ転送速度を保証するように展開可能である。高解像度の調査及びセンサを多用する用途では、電動式ＮＲＳＳ１０２が適している場合がある。この場合、放出前にＤＭ１０６へのデータ書き込みの完了を保証できる所定の時間に基づいて、又は、外部トリガ信号に基づいて、ＤＭ１０６を放出できる。
【００４２】
バッテリレスＤＭ１０６を用いる実施によっては、ＲＦＩＤ読取装置６０４は、フラッシュメモリ６１０に無線で問い合わせることができる。バッテリレスＲＦＩＤタグ付けは、通常、パッシブＲＦＩＤと呼ばれ、バッテリ給電タグ付けは、アクティブＲＦＩＤと呼ばれる。ＮＲＳＳの様々な実施では、搭載バッテリの有無にかかわらずＤＭを用いることができる。バッテリレスＤＭは、パッシブＲＦＩＤモードで作動できるが、転送距離及び転送速度が制限される。バッテリ給電型ＤＭの場合、アンテナと送信機を一体化して、ＰＣＢボード上のバッテリから給電でき、これにより、通過時に、より遠距離の地上基地局への無線データ転送が可能になる。
【００４３】
ＤＭ１０６からのデータは、標準のコンピュータ、モバイルデバイス、及び／又は、適切なソフトウェア／アプリケーションを実行する他のコンピュータを用いて読み取って情報の収集、処理、及び表示を行える。ソフトウェア／アプリケーションは、ＮＲＳＳモジュール及びＤＭモジュールという、２つの主要モジュール／インタフェースを含むことができる。ＮＲＳＳモジュールを用いてＮＲＳＳを構成し、作業に必要なセンサを有効にして、センサの解像度、サンプリング率、サンプリング時間などの検知パラメータを設定できる。更に、ＮＲＳＳモジュールは、ＤＭ放出モードと電動式ＮＲＳＳの戦略とを設定することもできる。例えば、ＮＲＳＳ１０２を、時間の遅れに基づいてＤＭ１０６を放出するよう構成する場合、遅延時間及び各バッチに対して放出するＤＭ１０６の数を、ソフトウェアを介してＮＲＳＳ１０２で事前に設定できる。別の実施例では、ＮＲＳＳ１０２を、ツールの傾斜に基づいてＤＭ１０６を放出するよう構成する場合、傾斜角及び各バッチに対して放出するＤＭ１０６の数を、ソフトウェアを介してＮＲＳＳ１０２上で事前に設定できる。作業後にＮＲＳＳ１０２が回収される時／場合、ＮＲＳＳモジュールを用いて、ＮＲＳＳ１０２に格納されているセンサデータをダウンロードすることもできる。ＤＭモジュールを用いて、ＤＭ１０６に格納されたセンサデータをダウンロードすることができる。
【００４４】
様々なハードウェア、ソフトウェア、及び、接続を用いてＮＲＳＳマイクロコントローラをプログラムすることができる。例えば、ＮＲＳＳ１０２との間で通信する場合、コンピュータ又はモバイルデバイスを、有線ケーブルと、ＵＳＢ、シリアル、Ｉ２Ｃ、ＳＰＩ、１−ｗｉｒｅなどの通信プロトコルとを用いて、又は、他の方法で、ＮＲＳＳ１０２に接続できる。ＤＭ１０６との間で通信する場合、バッテリレスＤＭ１０６に対し、コンピュータ又はモバイルデバイスを、有線ケーブルと、ＵＳＢ、シリアル、Ｉ２Ｃ、ＳＰＩ、１−ｗｉｒｅなどの通信プロトコルとを用いて、又は他の方法で、ＤＭ１０６に接続できる。アンテナを有するバッテリ給電型ＤＭ１０６に対しては、Ｂｌｕｅｔｏｏｔｈ（登録商標）、ＷＩＦＩ、Ｚｉｇｂｅｅ、又は近距離無線通信（ＮＦＣ）、Ｚ−ｗａｖｅなどの無線通信を用いてＤＭ１０６からデータをダウンロードすることができる。
【００４５】
実施によっては、ＮＲＳＳ１０２は、ＮＲＳＳ１０２がいったん井戸から引き上げられたときに回収可能なデータを、自ら格納することもできる。ＮＲＳＳ１０２に保存されるデータは、ＤＭ１０６に保存されるデータと同じ種類とすることもできるが、それより高い解像度のデータとすることもできる。いったんＮＲＳＳ１０２が井戸から引き上げられると、データのダウンロードは溝を介して行うことができる。
【００４６】
図７は、本開示の実施による、坑井穴内で非回収型検知システムを用いるための方法例７００のフローチャートである。提示を明確にするために、以下の記載は、本明細書における他の図との文脈で方法７００を一般的に説明する。しかし、方法７００は、例えば、任意の適切なシステム、環境、ソフトウェア、及びハードウェア、又は、必要に応じて、システムと、環境と、ソフトウェアと、ハードウェアとの組み合わせによって実行されてもよいことが理解されよう。実施によっては、方法７００の様々なステップは、並行して、組み合わせて、ループで、又は任意の順序で実行できる。
【００４７】
ステップ７０２では、ＮＲＳＳの調査が開始される。例えば、ＮＲＳＳ１０２を油井の掘削中に坑井穴へ落とし込むために、ＮＲＳＳ１０２が識別される。場合によっては、坑井サイトのオペレータが、ＮＲＳＳ１０２のバッテリ電源を有効にしたり、ＮＲＳＳ１０２によって展開されたＤＭ１０６からのデータの最終的な回収を始められるようにＮＲＳＳ１０２の設定を提供したりして、展開のためにＮＲＳＳ１０２を準備する行動がとられる。方法７００は、ステップ７０２からステップ７０４へ進む。
【００４８】
ステップ７０４では、複数のＤＭがＮＲＳＳに予め装填される。例えば、ＮＲＳＳ１０２は、工場で予め装填された複数のＤＭ１０６を有することができる、又は、ＤＭ１０６は、調査の要件に従って特定された数量のＤＭ１０６を現地で装填することができる。要件は、例えば、坑井穴の現在の深度又は予想深度、必要とされる情報の種類他の要件に拠る。実施によっては、異なる種類のデータ測定をするようにＤＭ１０６を構成することができ、特定のデータのニーズに基づいてＮＲＳＳ１０２に装填することができる。方法７００は、ステップ７０４からステップ７０６へ進む。ＤＭ１０６を、放出溝５０２の開口側からＮＲＳＳ１０２へ予め装填することができる。ＤＭ１０６の寸法及び放出溝５０２の内形寸法は、ＤＭ１０６がＮＲＳＳ１０２内でその位置を確実に維持できるように、適切な公差で設計できる。
【００４９】
ステップ７０６では、ＮＲＳＳ１０２が、坑井穴に関する検知データを収集し、格納するように構成される。例えば、エンジニアは、ＤＭ１０６が展開されることになる間隔を決定することにより、坑井の調査のためのＮＲＳＳ１０２を構成することができる。方法７００は、ステップ７０６からステップ７０８へ進む。
【００５０】
ステップ７０８では、ＮＲＳＳ１０２が坑井穴中に展開される。例えば、ＮＲＳＳ１０２を、調査を行う坑井穴内に配置できる。方法７００は、ステップ７０８からステップ７０９へ進む。
【００５１】
ステップ７０９では、環境条件と坑井穴情報とがＮＲＳＳ１０２によって収集される。例えば、ＮＲＳＳ１０２は、搭載センサの主要な（又は唯一の）担持体（キャリヤ）として働くので、ＮＲＳＳ１０２は、各ＤＭ１０６の展開前及び展開後の情報を収集できる。方法７００は、ステップ７０９からステップ７１０へ進む。
【００５２】
ステップ７１０では、ＤＭ１０６を坑井穴へ放出するための条件が監視される。例えば、この放出条件には、深度（ジョイントにより生ずる振動の計数など）、井戸の傾斜に基づく深度、温度、ガンマ線の読み、及びその他の要因が含まれる。例えば、ＮＲＳＳ１０２に予め読み込ませた深度及び時間間隔情報並びにその落ち込み中にＮＲＳＳ１０２のセンサによって収集された情報を用いて経時的にＤＭ１０６の放出を監視することができる。方法７００は、ステップ７１０からステップ７１２へ進む。
【００５３】
ステップ７１２では、ＤＭ１０６が坑井穴中に展開される。例えば、複数のＤＭ１０６を、異なる間隔で、及び／又は、坑井穴の底部などで、調査中、及び／又は、坑井穴の掘削中に坑井穴内のＮＲＳＳ１０２の放出溝を通して展開できる。方法７００は、ステップ７１２からステップ７１４へ進む。
【００５４】
ステップ７１４では、ＤＭ１０６のうちのバッテリ給電型ＤＭによって環境条件が収集され、格納される。例えば、バッテリ給電型ＤＭ１０６は、坑井穴内で搭載センサを用いて情報を収集できる。この時点で、ＮＲＳＳ１０２は、それ以上の転送又は検知を行う必要ない。バッテリ給電型ＤＭ１０６を用いること、及び、センサを含むことは選択できるので、ステップ７１４も選択できる。例えば、実施によっては、ＤＭ１０６の唯一の目的は、ＮＲＳＳ１０２から展開され、情報を地上へ配信できることである。方法７００は、ステップ７１４からステップ７１６へ進む。
【００５５】
ステップ７１６では、データがＤＭ１０６から取得される。例えば、坑井穴の上部にある読取装置が低周波伝達手段を介してデータを受信する、又は、ＤＭ１０６が上部に浮いたときにワイヤレスセンサによってデータを読み取る、又は、他の方法でデータを回収若しくはダウンロードすることができる。方法７００は、ステップ７１６からステップ７１８へ進む。
【００５６】
ステップ７１８では、取得したデータを用いて意思決定がなされる。例えば、坑井サイト又は他の場所にいる技術要員はこの情報を用いて坑井穴の条件について知ることができ、技術要員はその情報を用いて掘削を続けるか否か、又は、どのように続けるかなどの決定を下すことができる。ステップ７１８からは、方法７００が停止する。
【００５７】
図８は、本開示に記載されているように、記載のアルゴリズム、方法、機能、プロセス、フロー、及び手順に関連付けたコンピューティング機能を提供するために用いられるコンピュータシステム８００の例を示すブロック図である。図示のコンピュータ８０２は、サーバ、デスクトップコンピュータ、ラップトップ／ノートブックコンピュータ、ワイヤレスデータポート、スマートフォン、携帯情報端末（ＰＤＡ）、タブレットコンピューティングデバイス、これらのデバイス内の１つ又は複数のプロセッサ、コンピューティングデバイスの物理インスタンス又は仮想インスタンス（又はその両方）を含め、その他の適切な処理デバイスなどの任意のコンピューティングデバイスを包含するものである。更に、コンピュータ８０２は、キーパッド、キーボード、タッチスクリーン、又はユーザ情報を受け入れることができる他のデバイスなどの入力デバイスと、デジタルデータ、視覚情報、音声情報（又は情報の組み合わせ）、又はグラフィカルユーザインタフェース（ＧＵＩ）を含むコンピュータ８０２の作動に関連する情報を伝達する出力デバイスとを含むコンピュータを含むことができる。
【００５８】
コンピュータ８０２は、クライアント、ネットワーク構成部品、サーバ、データベース若しくは他のパーシステンシ、又は、本開示で述べる主題を実行するためのコンピュータシステムの任意の他の構成部品（又は役割の組み合わせ）としての役割を果たすことができる。図示のコンピュータ８０２は、ネットワーク８３０と通信可能に結合されている。実施によっては、コンピュータ８０２の１つ又は複数の構成部品を、クラウドコンピューティングベースの、ローカル、グローバル、又は他の環境（又は環境の組み合わせ）を含む環境内で作動するように構成できる。
【００５９】
概括的に言えば、コンピュータ８０２は、記載の主題に関連付けられたデータ及び情報を、受信、送信、処理、格納、又は管理するように作動できる電子コンピューティングデバイスである。実施によっては、コンピュータ８０２は、アプリケーションサーバ、電子メールサーバ、ウェブサーバ、キャッシングサーバ、ストリーミングデータサーバ、若しくは他のサーバ（若しくはサーバの組み合わせ）を含む、又は、それらと通信可能に結合できる。
【００６０】
コンピュータ８０２は、クライアントアプリケーション（例えば、別のコンピュータ８０２で実行中）からネットワーク８３０を介して要求を受信し、適切なソフトウェアアプリケーションを用いて受信したその要求を処理することにより、受信したその要求に応答できる。更に、要求は、内部ユーザ（例えば、コマンドコンソールから、若しくは、他の適切なアクセス方法によって）、外部当事者若しくはサードパーティ、他の自動化アプリケーション、及び、任意の他の適切な、エンティティ（事業体）、個人、システム、又はコンピュータから、コンピュータ８０２へ送信することもできる。
【００６１】
コンピュータ８０２の各構成部品は、システムバス８０３を用いて通信できる。実施によっては、コンピュータ８０２のいずれか又はすべての構成部品、ハードウェア、又はソフトウェア（又は、ハードウェアとソフトウェアとの組み合わせ）は、アプリケーションプログラミングインタフェース（ＡＰＩ）８１２又はサービスレイヤ８１３（又はＡＰＩ８１２とサービスレイヤ８１３との組み合わせ）を用いてシステムバス８０３を介して互いに又はインタフェース８０４（又は両方の組み合わせ）とインタフェース接続することができる。ＡＰＩ８１２は、ルーチン、データ構造、及びオブジェクトクラスの仕様を含むことができる。ＡＰＩ８１２は、コンピュータ言語に独立的又は従属的のいずれかであり、完全なインタフェース、単一の機能、又はＡＰＩのセットさえも指すことができる。サービスレイヤ８１３は、コンピュータ８０２又はコンピュータ８０２に通信可能に結合された他の構成部品に（図示の有無にかかわらず）ソフトウェアサービスを提供する。コンピュータ８０２の機能は、このサービスレイヤを用いるすべてのサービス消費者にとってアクセス可能である。サービスレイヤ８１３によって提供されるようなソフトウェアサービスは、定義されたインタフェースを通じて再利用可能な定義された機能を提供する。例えば、インタフェースは、ＪＡＶＡ（登録商標）、Ｃ＋＋、又は拡張可能なマークアップ言語（ＸＭＬ）フォーマット又は他の適切なフォーマットでデータを提供する他の適切な言語で書かれたソフトウェアであってもよい。コンピュータ８０２の統合構成要素として示されているが、代替の実施として、コンピュータ８０２の他の構成部品又はコンピュータ８０２に通信可能に結合されている他の構成部品（図示の有無にかかわらず）に関連するスタンドアロン構成部品としてＡＰＩ８１２又はサービスレイヤ８１３を示してもよい。更に、ＡＰＩ８１２又はサービスレイヤ８１３のいずれか又はすべての部分は、本開示の範囲から逸脱することなく、別のソフトウェアモジュール、エンタープライズアプリケーション、又はハードウェアモジュールの子モジュール又はサブモジュールとして実施してもよい。
【００６２】
コンピュータ８０２は、インタフェース８０４を含む。図８では単一のインタフェース８０４として示されているが、図８に示すように、２つ以上のインタフェース８０４を、コンピュータ８０２の特定のニーズ、要望、又は特定の実施に従って用いてもよい。インタフェース８０４は、分散環境において（図示の有無にかかわらず）ネットワーク８３０に接続されている他のシステムと通信するためにコンピュータ８０２によって用いられる。一般に、インタフェース８０４は、ソフトウェア又はハードウェア（又はソフトウェアとハードウェアの組み合わせ）で符号化された論理を含み、ネットワーク８３０と通信するように作動可能である。より具体的には、インタフェース８０４は、ネットワーク８３０又はインタフェースのハードウェアが図示されたコンピュータ８０２の内外で物理信号を通信するように作動可能であるように、通信に関連する１つ又は複数の通信プロトコルをサポートするソフトウェアを含んでもよい。
【００６３】
コンピュータ８０２は、プロセッサ８０５を含む。図８では単一のプロセッサ８０５として示されているが、２つ以上のプロセッサを、コンピュータ８０２の特定のニーズ、要望、又は特定の実施に従って用いてもよい。一般に、プロセッサ８０５は、命令を実行し、データを操作して、コンピュータ８０２の作動、及び本開示で述べる任意のアルゴリズム、方法、機能、プロセス、フロー、及び手順を実行する。
【００６４】
コンピュータ８０２は、コンピュータ８０２のために、又は、（図示の有無にかかわらず）ネットワーク８３０に接続できる他の構成部品のために（又は両方の組み合わせのために）データを保持できるデータベース８０６も含む。例えば、データベース８０６は、インメモリの従来型データベースであっても、本開示と一致するデータを格納する他の種類のデータベースであってもよい。実施によっては、データベース８０６は、コンピュータ８０２及び記載する機能性の特定の必要性、要望、又は特定の実施に従って、２つ以上の異なる種類のデータベース（例えば、ハイブリッドインメモリ及び従来データベース）の組み合わせであってもよい。図８では単一のデータベース８０６として示されているが、（同じ種類又は異なる種類の組み合わせの）２つ以上のデータベースは、コンピュータ８０２及び記載する機能性の特定のニーズ、要望、又は特定の実施に従って用いることができる。データベース８０６は、コンピュータ８０２の統合構成部品として示されているが、代替の実施では、データベース８０６は、コンピュータ８０２の外部にあってもよい。
【００６５】
コンピュータ８０２は、コンピュータ８０２のために、又は、（図示の有無にかかわらず）ネットワーク８３０に接続できる他の構成部品のために（又は両方の組み合わせのために）データを保持できるメモリ８０７を含む。メモリ８０７は、本開示と一致する任意のデータを格納できる。実施によっては、メモリ８０７は、コンピュータ８０２及び記載する機能性の特定の必要性、要望、又は特定の実施に従って、２つ以上の異なる種類のメモリの組み合わせ（例えば、半導体と磁気ストレージとの組み合わせ）であってもよい。図８では単一のメモリ８０７として示されているが、（同じ種類又は異なる種類の組み合わせの）２つ以上のメモリ８０７は、コンピュータ８０２及び記載する機能性の特定のニーズ、要望、又は特定の実施に従って用いることができる。メモリ８０７は、コンピュータ８０２の統合構成部品として示されているが、代替の実施では、メモリ８０７は、コンピュータ８０２の外部にあってもよい。
【００６６】
アプリケーション８０８は、特にこの開示で述べる機能性に関して、コンピュータ８０２の特定のニーズ、要望、又は特定の実施に従って機能性を提供するアルゴリズムソフトウェアエンジンである。例えば、アプリケーション８０８は、１つ又は複数の構成部品、モジュール、又はアプリケーションとして働くことができる。更に、単一のアプリケーション８０８として示されているが、アプリケーション８０８は、コンピュータ８０２上の複数のアプリケーション８０８として実装してもよい。更に、コンピュータ８０２に統合されるものとして示されているが、代替の実施では、アプリケーション８０８は、コンピュータ８０２の外部にあってもよい。
【００６７】
コンピュータ８０２は電源８１４を含むこともできる。電源８１４は、ユーザ交換可能又は非ユーザ交換可能であるように構成できる充電式又は非充電式バッテリを含むことができる。実施によっては、電源８１４は、電力変換又は管理回路（再充電、スタンバイ、又は他の電力管理機能を含む）を含むことができる。実施によっては、電源８１４は、例えばコンピュータ８０２へ給電するように、又は、充電式電池を再充電するように、コンピュータ８０２は、壁のソケット又は他の電源に差し込む電源プラグを含むことができる。
【００６８】
コンピュータ８０２を含むコンピュータシステムに関連付けられた、又は、コンピュータシステムの外部に、ネットワーク８３０を介して通信する任意の数のコンピュータ８０２があってもよい。更に、用語「クライアント」、「ユーザ」、及び他の適切な用語は、本開示の範囲から逸脱することなく、必要に応じて交換可能で用いることができる。更に、この開示は、複数のユーザが１つのコンピュータ８０２を用いることができること、又は、１人のユーザが複数のコンピュータ８０２を用いることができることを想定している。
【００６９】
記載する主題の実施は、単独で又は組み合わせて、１つ又は複数の特徴を含むことができる。
【００７０】
例えば、第１の実施において、コンピュータで実施されるシステムは、非回収型検知システム（ＮＲＳＳ）と環境から検知データを収集及び格納するよう構成された複数の脱着モジュール（ＤＭ）とを備え、ＮＲＳＳは：コンピュータメモリと相互作動可能に結合されて、コンピュータで実施されるシステムの１つ又は複数の構成部品の作動を実行するよう構成された少なくとも１つのハードウェアプロセッサと；油井の掘削中に坑井穴の内側におけるＮＲＳＳの調査の間に、ＮＲＳＳの放出溝から、複数のＤＭを、ＮＲＳＳを取り囲む環境内に展開するよう構成された脱着モジュール（ＤＭ）デリバリシステムと；を備え、複数のＤＭはＮＲＳＳに予め装填される。
【００７１】
先に述べた実施及び他に記載の実施は、以下の特徴の１つ又は複数を任意に含むことができる。
【００７２】
以下の特徴のいずれかと組み合わせ可能な第１の特徴であって、本システムは、ＮＲＳＳとは別体で、ＮＲＳＳの回収を必要とせずに、ＤＭによって捕捉されたデータを読み取るよう構成される読取装置を更に含む。
【００７３】
先の又は以下の特徴のいずれかと組み合せ可能な第２の特徴であって、ＤＭデリバリシステムは、ＮＲＳＳのハウジングに格納される、ばねを含む機械式放出システムを含み、ばねは、ＮＲＳＳがＮＲＳＳの調査の停止点に到達したときに、ＮＲＳＳの慣性運動を用いて複数のＤＭの展開を引き起こすよう構成される。
【００７４】
先の又は以下の特徴のいずれかと組み合わせ可能な第３の特徴であって、ＤＭデリバリシステムは、ＮＲＳＳのハウジング内に格納された、モータを含む電動式放出システムを含み、調査の際にモータはラックと係合してＮＲＳＳが複数のＤＭを異なる間隔で展開するように構成され、ＮＲＳＳはモータに給電するためのバッテリを含む。
【００７５】
先の又は以下の特徴のいずれかと組み合わせ可能な第４の特徴であって、ＮＲＳＳは、流体が中心を通って流れることを許容するパイプ形状の構造を有する。
【００７６】
先の又は以下の特徴のいずれかと組み合わせ可能な第５の特徴であって、ＤＭは：ＮＲＳＳと、ＤＭがデータを提供する外部システムとの通信を制御することを含め、ＤＭを制御するよう構成されたマイクロコントローラを含むプリント回路基板と；センサ情報を格納する記憶チップと；ＮＲＳＳの放出溝において給電接点を係合させるための電極と；を含む。
【００７７】
先の又は以下の特徴のいずれかと組み合わせ可能な第６の特徴であって、ＮＲＳＳは、３軸の磁力計と、３軸の加速度計と、３軸のジャイロスコープとを含む位置的／運動的な構成部品と；ＮＲＳＳを制御するよう構成され、タイマと、中央処理装置（ＣＰＵ）と，入力／出力（Ｉ／Ｏ）ポートと、ランダムアクセスメモリ（ＲＡＭ）と、インタラプトと、読出し専用メモリ（ＲＯＭ）とを含むマイクロコントローラと；を含み、マイクロコントローラは、位置的／運動的な構成部品とタイマとのうち少なくとも１つからの情報を用いて異なる間隔を決定する。
【００７８】
先の又は以下の特徴のいずれかと組み合わせ可能な第７の特徴であって、ＤＭの形状は、球形、円筒形、楕円形、又はカプセル形である。
【００７９】
先の又は以下の特徴のいずれかと組み合わせ可能な第８の特徴であって、ＤＭは、温度センサ、圧力センサ、磁場センサ、ガンマ線センサ、音響センサ、分光センサ、化学センサ、水素イオン指数（ＰＨ）センサなどの集積センサを更に含む。
【００８０】
先の又は以下の特徴のいずれかと組み合わせ可能な第９の特徴であって、ＤＭは、ＤＭの外部にある無線周波識別（ＲＦＩＤ）読取装置との間でデータを通信するよう構成されたＲＦＩＤを更に含む。
【００８１】
先の又は以下の特徴のいずれかと組み合わせ可能な第１０の特徴であって、坑井穴は、陸上油井、海洋油井、陸上ガス井、又は海洋ガス井の坑井穴である。
【００８２】
第２の実施において、コンピュータで実施される方法は、ＮＲＳＳを用いて坑井穴の調査を開始するステップと；複数のＤＭをＮＲＳＳに予め装填するステップと；坑井穴の検知データを収集及び格納するようＮＲＳＳを構成するステップと；ＮＲＳＳを坑井穴内に展開するステップと；ＮＲＳＳを用いて環境条件又は坑井穴情報を収集及び格納するステップと；複数のＤＭを坑井穴内に放出する条件を監視するステップと；複数のＤＭを前記坑井穴内に展開するステップと；前記複数のＤＭのうちバッテリ駆動型ＤＭを用いて環境条件を収集及び格納するステップと；複数のＤＭからデータを取得するステップと；取得データを用いて運用の意志決定を行うステップと；を含む。
【００８３】
先に述べた実施及び他に記載の実施は、以下の特徴の１つ又は複数を任意に含むことができる。
【００８４】
以下の特徴のいずれかと組み合わせ可能な第１の特徴であって、コンピュータで実施される方法は、複数のバッテリ駆動型ＤＭを用いて環境条件を収集して格納するステップを更に備える。
【００８５】
先の又は以下の特徴のいずれかと組み合わせ可能な第２の特徴であって、複数のＤＭを展開するステップは、ＮＲＳＳのハウジングに格納される、ばねを含む機械式放出システムを用いるステップを含み、ばねはＮＲＳＳがＮＲＳＳの調査の停止点に到達したときに、ＮＲＳＳの慣性運動を用いて複数のＤＭの展開を引き起こすよう構成される。
【００８６】
先の又は以下の特徴のいずれかと組み合わせ可能な第３の特徴であって、複数のＤＭを展開するステップは、ＮＲＳＳのハウジングに格納される、モータを含む電動式放出システムを用いるステップを含み、モータは、ＮＲＳＳが調査の間に複数のＤＭを異なる間隔で展開するようにラックと係合するよう構成され、ＮＲＳＳはモータに給電するためのバッテリを含む。
【００８７】
先の又は以下の特徴のいずれかと組み合わせ可能な第４の特徴であって、ＤＭは、ＮＲＳＳと、ＤＭがデータを提供する外部システムとの通信を制御することを含め、ＤＭを制御するよう構成されるマイクロコントローラを含むプリント回路基板と；センサ情報を格納するための記憶チップと；ＮＲＳＳの放出溝において給電接点を係合させるための電極と；を含む。
【００８８】
先の又は以下の特徴のいずれかと組み合わせ可能な第５の特徴であって、ＮＲＳＳは、３軸の磁力計と、３軸の加速度計と、３軸のジャイロスコープとを含む位置的／運動的な構成部品と；ＮＲＳＳを制御するよう構成され、タイマと、中央処理装置（ＣＰＵ）と，入力／出力（Ｉ／Ｏ）ポートと、ランダムアクセスメモリ（ＲＡＭ）と、インタラプトと、読出し専用メモリ（ＲＯＭ）とを含むマイクロコントローラと；を含み、マイクロコントローラは、位置的／運動的な構成部品とタイマとのうち少なくとも１つからの情報を用いて異なる間隔を決定する。
【００８９】
先の又は以下の特徴のいずれかと組み合わせ可能な第６の特徴であって、ＤＭの形状は、球形、円筒形、楕円形、カプセル形である。
【００９０】
先の又は以下の特徴のいずれかと組み合わせ可能な第７の特徴であって、ＤＭは、温度センサ、圧力センサ、ガンマ線センサ、音響センサ、分光センサ、化学センサ、水素イオン指数（ＰＨ）センサなどの集積センサを更に含む。
【００９１】
先の又は以下の特徴のいずれかと組み合わせ可能な第８の特徴であって、ＤＭは、ＤＭの外部にある無線周波識別（ＲＦＩＤ）読取装置との間でデータを通信するように構成されるＲＦＩＤを更に含む。
【００９２】
先の又は以下の特徴のいずれかと組み合わせ可能な第９の特徴であって、坑井穴は、陸上油井、海洋油井、陸上ガス井、又は海洋ガス井の坑井穴である。
【００９３】
本明細書に記載する主題及び機能上の作動の実施は、デジタル電子回路において、又は、明白に具現化されたコンピュータソフトウェア若しくはファームウェアにおいて、又は、本明細書に開示する構造とそれらの構造上の均等物とを含むコンピュータハードウェアにおいて、又は、それらのうちの１つ若しくは複数の組み合わせにおいて実施できる。記載する主題のソフトウェアの実施は、１つ又は複数のコンピュータプログラムとして、すなわち、データ処理装置の作動によって実行又は制御するための有形で非一時的なコンピュータ読取り可能なコンピュータ記憶媒体にエンコードされたコンピュータプログラム命令の１つ又は複数のモジュールとして実施できる。代替として、又は、更に、プログラム命令は、人為的に生成された伝搬信号、例えば、データ処理装置によって実行するために、適切な受信装置へ送信するための情報をエンコードするために生成される機械生成による電気信号、光信号、若しくは電磁信号に、又は、その上にエンコードすることができる。コンピュータ記憶媒体は、機械読取り可能な記憶デバイス、機械読取り可能な記憶基板、ランダム若しくはシリアルアクセスメモリデバイス、又は、コンピュータ記憶媒体の組み合わせであってもよい。
【００９４】
用語「リアル−タイム（real-time）」、「リアル  タイム（real time）」、「リアルタイム（realtime）」、「リアル（高速）タイム（ＲＦＴ）」、「近リアルタイム（ＮＲＴ）」、「準リアルタイム」等、又は、（当業者が理解できる）類似する用語は、個人が、ほとんど同時に発生する行動及び応答を感じ取るように、行動及び応答が時間的に近接していることを意味する。例えば、データにアクセスする個人の行為に続くデータの表示の応答（又は表示の開始）の時間差は、１ミリ秒未満、１秒未満、又は５秒未満であってもよい。要求されたデータが直ちに表示される（又は表示が開始される）必要はないが、記載のコンピューティングシステムの処理限度と、例えばデータの収集、精確な測定、分析、処理、保存、又は送信に必要な時間とを考慮して、意図的に遅延されることなく表示（又は表示が開始）される。
【００９５】
用語「データ処理装置」、「コンピュータ」又は「電子コンピュータデバイス」（又は「当業者により理解される等価物」）は、データ処理ハードウェアを指し、例えば、プログラム可能なプロセッサ、コンピュータ、又は、マルチプルプロセッサ及びマルチコンピュータを含む、データを処理するためのあらゆる種類の装置、デバイス、及び機械を包含する。装置は、ＣＰＵ、ＦＰＧＡ（フィールドプログラマブルゲートアレイ）、又はＡＳＩＣ（特定用途向け集積回路）等の専用論理回路であってもよく、更にそれらを含む装置であってもよい。実施によっては、データ処理装置又は専用論理回路（又は、データ処理装置若しくは専用論理回路の組み合わせ）は、ハードウェアに基づく又はソフトウェアに基づく（又はハードウェア及びソフトウェアの両方に基づく組み合わせ）ものであってよい。装置は、コンピュータプログラムの実行環境を作り出すコード、例えば、プロセッサファームウェア、プロトコルスタック、データベース管理システム、オペレーティングシステム、又は、実行環境の組み合わせを構成するコードを、任意であるが含むことができる。本開示は、従来のオペレーティングシステム、例えば、ＬＩＮＵＸ（登録商標）、ＵＮＩＸ（登録商標）、ＷＩＮＤＯＷＳ（登録商標）、ＭＡＣ ＯＳ、ＡＮＤＲＯＩＤ（登録商標）、ＩＯＳ、又は、任意の他の適切な従来オペレーティングシステムを伴う若しくは伴わないデータ処理装置の使用について考慮している。
【００９６】
プログラム、ソフトウェア、ソフトウェアアプリケーション、モジュール、ソフトウェアモジュール、スクリプト、又はコードとして参照される若しくは記述されるコンピュータプログラムは、コンパイル若しくはインタプリットされた言語、又は、宣言型若しくは手続き型言語を含め、プログラミング言語の任意の形式で記述でき、更にスタンドアロンプログラムとして、又は、モジュール、コンポーネント、サブルーチン、若しくはコンピューティング環境での使用に適する他のユニットとして、任意の形式で展開できる。コンピュータプログラムは、ファイルシステム内のファイルに対応できるが、対応する必要はない。プログラムは、他のプログラム若しくはデータ、例えば、マークアップ言語ドキュメントに保存された、当のプログラムに専用である単一ファイルに保存された、又は、多数の連携ファイル、例えば、１つ若しくは複数のモジュール、サブプログラム、若しくは、コードの各部分を保存するファイルに保存された、１つ若しくは複数のスクリプトを保持するファイルの一部分に格納されることができる。コンピュータプログラムは、１つのコンピュータ上で、又は、１つのサイトに配置されている、若しくは、通信ネットワークによって相互接続され、複数のサイトに分散配置されている、複数のコンピュータ上で実行されるように展開することができる。様々な図に示すプログラムの各部分は、多様なオブジェクト、方法、又は他の工程を通じて多様な特徴及び機能性を実施する個別のモジュールとして示しているが、そのプログラムには、代わりに、多数のサブモジュール、サードパーティのサービス、コンポーネント、ライブラリ等を、必要に応じて含めることができる。逆に、必要に応じて、多様なコンポーネントの特徴や機能を複数の単一のコンポーネントに組み合わせることができる。計算上での判定に用いられるしきい値は、静的、動的、又は静的と動的の両方で特定できる。
【００９７】
本明細書に記載する方法、工程、又は論理フローは、入力データを操作して出力を生成することによって機能を実行するための１つ又は複数のコンピュータプログラムを実行する１つ又は複数のプログラム可能なコンピュータによって実行できる。その方法、工程、又は論理フローは、例えば、ＣＰＵ、ＦＰＧＡ、又はＡＳＩＣ等の専用論理回路によっても実行でき、装置も同じように実施できる。
【００９８】
コンピュータプログラムの実行に適するコンピュータは、汎用若しくは専用のマイクロプロセッサ、その両方、又は任意の他の種類のＣＰＵに基づくことができる。一般に、ＣＰＵはメモリから命令とデータを受信し、それらをメモリに書き込む。コンピュータの必須要素は、命令を実行するためのＣＰＵ、並びに、命令及びデータを格納するための１つ又は複数のメモリデバイスである。一般に、コンピュータは、例えば、磁気、光磁気、若しくは光ディスク等のデータを格納するための１つ若しくは複数の大容量記憶装置を含む、又は、それらとの間でデータの受信、転送、若しくは、その両方を行うように作動可能にそれらに結合される。しかし、コンピュータは必ずしもそのような装置を有する必要はない。更に、コンピュータを、別のデバイス、例えば、携帯電話、携帯情報端末（ＰＤＡ）、モバイルオーディオ若しくはビデオプレーヤ、ゲームコンソール、全地球測位システム（ＧＰＳ）受信機、又は、例えば、ほんの数例を挙げると、ユニバーサルシリアルバス（ＵＳＢ）フラッシュドライブのようなポータブルストレージデバイスを組み込むことができる。
【００９９】
コンピュータプログラムの命令とデータとの保存に適する（必要に応じて一時的又は非一時的な）コンピュータ読取り可能媒体は、すべての方式の永久／非永久又は揮発性／不揮発性メモリ、媒体、及びメモリデバイスを含み、その例として、ランダムアクセスメモリ（ＲＡＭ）、読み取り専用メモリ（ＲＯＭ）、相変化メモリ（ＰＲＡＭ）、スタティックランダムアクセスメモリ（ＳＲＡＭ）、ダイナミックランダムアクセスメモリ（ＤＲＡＭ）、消去可能でプログラム可能な読取り専用メモリ（ＥＰＲＯＭ）、電気的に消去可能でプログラム可能な読取り専用メモリ（ＥＥＰＲＯＭ）、及びフラッシュメモリデバイス等の半導体メモリデバイス、例えば、テープ、カートリッジ、カセット、内蔵／リムーバブルディスク、光磁気ディスク等の磁気デバイス、更には、例えばデジタルビデオディスク（ＤＶＤ）、ＣＤ−ＲＯＭ、ＤＶＤ＋／−Ｒ、ＤＶＤ−ＲＡＭ、ＤＶＤ−ＲＯＭ、ＨＤ−ＤＶＤ、ＢＬＵＲＡＹ、及びその他の光メモリ技術の光メモリデバイスが挙げられる。メモリは、キャッシュ、クラス、フレームワーク、アプリケーション、モジュール、バックアップデータ、ジョブ、Ｗｅｂページ、Ｗｅｂページテンプレート、データ構造、データベーステーブル、動的情報を格納するリポジトリ、及び、パラメータ、変数、アルゴリズム、命令、ルール、制約、又は参照、を含むその他適切な情報を含む、様々なオブジェクト又はデータを格納できる。更に、メモリは、ログ、ポリシ、セキュリティ又はアクセスデータ、リポートファイル等、他の適切なデータを含むことができる。プロセッサとメモリは、専用論理回路によって補完されることができる、又は専用論理回路に組み込むことができる。
【０１００】
ユーザとの相互作用（インタラクション）対話を提供するために、本明細書に記載する主題の実施は、ユーザに情報を表示するための、例えば、ＣＲＴ（陰極線管）、ＬＣＤ（液晶ディスプレイ）、ＬＥＤ（発光ダイオード）、又はプラズマモニタのようなディスプレイ装置と、例えば、ユーザが用いてコンピュータに入力を提供する、キーボードと、マウス、トラックボール又はトラックパッドのようなポインティングデバイスとを有するコンピュータ上で実施できる。例えば、感圧性を持つタブレットコンピュータサーフェス、静電容量式又は電気式感知を用いるマルチタッチスクリーン、他の種類のタッチスクリーン等のタッチスクリーンを用いてコンピュータに入力を提供することができる。他の種類のデバイスを用いてユーザと相互に作用することができる。例えば、ユーザに提供されるフィードバックは、視覚的フィードバック、聴覚的フィードバック、又は触覚的フィードバック等の任意の形態の感覚的フィードバックであってよい。また、ユーザからの入力は、音響、音声、又は触覚入力を含め、任意の形態で受け取ることができる。更に、コンピュータは、例えば、Ｗｅｂブラウザから受信した要求に応答して、ユーザのクライアントデバイスのＷｅｂブラウザへＷｅｂページを送信することにより、ユーザが使っているデバイスとの間でドキュメントを送受信してユーザとの間で相互に作用することができる。
【０１０１】
用語「グラフィカルユーザインタフェース」又は「ＧＵＩ」は、単数形又は複数形で用いて１つ又は複数のグラフィカルユーザインタフェース及び特定のグラフィカルユーザインタフェースの各ディスプレイを表すことができる。したがって、ＧＵＩは、情報を処理し、ユーザに情報の結果を効率的に提示する、任意のラフィカルユーザインタフェースを表わすことができ、任意のグラフィカルユーザインタフェースはＷｅｂブラウザ、タッチスクリーン、又はコマンドラインインタフェース（ＣＬＩ）を含むが、それらに限定されない。一般に、ＧＵＩは、インタラクティブフィールド、プルダウンリスト、ボタン等、一部又はすべてがＷｅｂブラウザに関連付けられた複数のユーザインタフェース（ＵＩ）要素を含むことができる。これら及び他のＵＩ要素はＷｅｂブラウザの機能に関連付けることができる、又は、その機能を表すことができる。
【０１０２】
本明細書に記載する主題の実施は、例えばデータサーバとしてのバックエンドコンポーネントを含むコンピューティングシステムで、又は、ミドルウェアコンポーネント、例えばアプリケーションサーバ、を含むコンピューティングシステムで、又は、フロントエンドコンポーネント、例えば、本明細書に記載する主題の実施との間で相互に作用することができるグラフィカルユーザインタフェース若しくはＷｅｂブラウザを有するクライアントコンピュータを含むコンピューティングシステムで、又は、１つ若しくは複数のそのようなバックエンド、ミドルウェア、若しくはフロントエンドコンポーネントの任意の組み合わせを含むコンピューティングシステムで実施することができる。このシステムのコンポーネントは、例えば通信ネットワークのような、有線又は無線（又は、両方の組み合わせ）のデジタルデータ通信の任意の形態又は媒体によって相互に接続することができる。通信ネットワークの例として、ローカルエリアネットワーク（ＬＡＮ）、無線アクセスネットワーク（ＲＡＮ）、メトロポリタンエリアネットワーク（ＭＡＮ）、ワイドエリアネットワーク（ＷＡＮ）、ワールドワイド・インターオペラビリティ・フォー・マイクロウェーブ・アクセス（ＷＩＭＡＸ）、例えば、８０２．１１ａ／ｂ／ｇ／ｎ若しくは８０２．２０（若しくは８０２．１１ｘ及び８０２．２０の組み合わせ、若しくは本開示に一致する他のプロトコル）を用いる無線ＬＡＮ（ＷＬＡＮ）、インターネットの全体若しくは一部、又は、他の通信システム若しくは１箇所以上の位置にあるシステム（又は、通信ネットワークの組み合わせ）が挙げられる。このネットワークは、例えば、インターネットプロトコル（ＩＰ）パケット、フレームリレーフレーム、非同期転送モード（ＡＴＭ）セル、音声、ビデオ、データ、又は、ネットワークアドレス間の他の適切な情報（又は通信タイプの組み合わせ）を用いて通信できる。
【０１０３】
コンピューティングシステムは、クライアントとサーバを含むことができる。クライアントとサーバは、一般に、互いに離れていて、通常、通信ネットワークを介して相互に作用する。クライアントとサーバの関係は、それぞれのコンピュータ上で実行され且つ互いのクライアント／サーバ関係を持つコンピュータプログラムにより生まれる。
【０１０４】
本明細書は、特定の実施の詳細を多く含んでいるが、これらは、いずれの発明の範囲に対しても特許請求の範囲に対してもそれらの制限として解釈するべきではなく、特定の発明の特定の実施に特定し得る特徴の記述として解釈するべきである。個別の実施の文脈の中で、本明細書に記載するいくつかの特徴を、一つの実施として組み合わせて実施することもできる。逆に、ある一つの実施の文脈で述べる多様な特徴を、複数の実施で個別に、又は、任意の適切な下位の組み合わせで実施することもできる。更に、先に述べた特徴を、いくつかの組み合わせで作用するように記述することができ、最初からそのように請求することもできるが、請求した組み合わせの１つ又は複数の特徴を、場合によっては、組み合わせから削除でき、請求した組み合わせは、下位の組み合わせ、又は、下位の組み合わせの変種に向けたものであってもよい。
【０１０５】
主題の特定の実施について述べた。当業者には明らかであるように、記載する実施の他の実施、変更、及び置換は、以下の特許請求の範囲に含まれる。操作については特定の順序で図面又は請求項に示すが、これは、望ましい結果を達成するために、そのような操作を特定の順序で、又は順番で実行すること、又は（一部の操作は任意であると見なすことができる）すべての図示された操作の実行が必要であると理解するべきではない。状況によっては、マルチタスク又は並列処理（又はマルチタスクと並列処理との組み合わせ）が有利で適切であると見なして実行することができる。
【０１０６】
更に、先に述べた実施による様々なシステムモジュール及びコンポーネントの分離又は統合は、すべての実施においてそのような分離又は統合が必要と理解するものではなく、記載するプログラムコンポーネント及びシステムは、一般に、単一のソフトウェア製品の中に一緒に一体化することもでき、複数のソフトウェア製品にパッケージ化することもできるものである。
【０１０７】
したがって、先に述べた実施例は、本開示を定義することも制約することもない。本開示の主旨及び範囲から逸脱することなく、他の変更、置換、及び代替が可能である。
【０１０８】
更に、請求されるいずれの実施も、少なくとも：コンピュータによる実施の方法；コンピュータによる実施の方法を実行するためのコンピュータ読取り可能命令を格納する非一時的コンピュータ読取り可能媒体；及び、コンピュータにより実行される方法を実行するように構成されたハードウェアプロセッサ又は非一時的なコンピュータ読取り可能媒体に格納された命令と相互運用可能に結合されたコンピュータメモリを含むコンピュータシステム；に適用可能であるとみなされる。
【図１Ａ】
2020536187.tif 000003
【図１Ｂ】
2020536187.tif 000004
【図１Ｃ】
2020536187.tif 000005
【図１Ｄ】
2020536187.tif 000006
【図２Ａ】
2020536187.tif 000007
【図２Ｂ】
2020536187.tif 000008
【図２Ｃ】
2020536187.tif 000009
【図３Ａ】
2020536187.tif 000010
【図３Ｂ】
2020536187.tif 000011
【図４Ａ】
2020536187.tif 000012
【図４Ｂ】
2020536187.tif 000013
【図５】
2020536187.tif 000014
【図６】
2020536187.tif 000015
【図７】
2020536187.tif 000016
【図８】
2020536187.tif 000017
【国際調査報告】
2020536187.tif 000018
2020536187.tif 000019
2020536187.tif 000020